Podtech/llm-jp-corpus-v4-ja_patent huggingface dataset:
(57)【要約】【課題】  ファイルを立てても整然と見える様に、正確且つ簡単にインデックス等を貼ることのできるインデックススケールを提供する。【解決手段】  インデックスを貼り付ける位置を示す目盛りを表示したスケール本体（１）に帯（２）を通す。本発明は、以上の構成よりなる複数サイズのインデックス等も等間隔に貼れるスケールを特徴とする。【選択図】図１
2012224070.tif 000002
【特許請求の範囲】
【請求項１】
インデックスを貼り付ける位置を示す目盛りを表示したスケール本体（１）に帯（２）を通した複数サイズのインデックス等も等間隔に貼れるスケール
【発明の詳細な説明】
【技術分野】
【０００１】  この発明は、サイズの異なるインデックスや付箋等貼る物全てが、１本のスケールで簡易且つ正確に、等間隔貼りができる「複数サイズのインデックス等も等間隔に貼れるスケール」に関するものである。
【背景技術】
【０００２】  従来は、インデックスは、適当な目見当で貼っていた。
【発明の開示】
【発明が解決しようとする課題】
【０００３】  これには、次の様な欠点があった。
従来は、インデックスを貼り終わった後にファイルを立てると、インデックスとインデックスの間隔が、詰まったり、伸びたりたりしてしまった。
その結果、結局は整然と見えず、見づらく、がっかりすることが多かった。
本発明は、以上の様な欠点をなくすためになされたものである。
【課題を解決するための手段】
【０００４】  スケール本体（１）に帯（２）を通す。
本発明は、以上の構成よりなる「複数サイズのインデックス等も等間隔に貼れるスケール」である。
【発明の効果】
【０００５】１  インデックスを貼る場合
前回貼ったインデックスのサイズと、それが何番目の目盛り位置に相当するかを、ス  ケール本体（１）に表示された複数の目盛りから調べる。
帯（２）をスライドさせ、その次の目盛り番号の上端に、帯（２）のマークの下端を  合わせる。
今回貼り付ける頁の上端にスケールの上端を合わせて置く。
マークの下端に合わせてインデックスを貼るだけで、整然と並ぶために適した位置に  貼り付ける事ができる。
２  インデックス以外のものを貼る場合
前回貼付けた物の存在する頁の上に、スケールを置く。
前回貼付けた物の下端に帯（２）に表示されたマークの上端を合わせる。
今回貼り付ける頁の上端にスケールの上端を合わせて置く。
マーク下端に貼付物の上端を合わせて貼り付ける。
▲１▼と同様に、整然と並ぶに適した位置に貼り付ける事ができる。
【発明を実施するための最良の形態】
【０００６】  以下、本発明を実施するための最良の形態について説明する。
スケール本体（１）の表裏に、インデックスのサイズに応じた目盛りを複数表示する。
表示の向きは、表と裏では逆方向とする。
表面は用紙の上端部に合わせて測れる様な目盛りを表示し、裏面は用紙の下端部に合わせて測れる様に目盛りを表示する。
目盛りは、インデックス自体の幅を表示する部分と、インデックスとインデックスの間隔を表示する部分に分かれる。
インデックス自体の幅を表示する部分には、最初から何番目のインデックスであるのか判る様に、番号を付しておく。
インデックスとインデックスの間隔を表示する部分は、数ミリの幅を取り、着色等により、一目で判る様にしておく。
帯（２）は、目盛りが透けて見える様にし、帯がスライドする方向に対し垂直となる方向に数ミリ幅の線を記す。
この帯（２）にスケール本体（１）を通す。本発明は、以上の様な構造である。
これを使用する時は、帯（２）をスライドして、インデックスの貼る位置を、割り出し、適宜貼り付ければよい。
【図面の簡単な説明】
【０００７】
【図１】  本発明の表面図である。
【図２】  本発明の裏面図である。
【図３】  本発明の帯部分の拡大図である。
【符号の説明】
【０００８】  １  スケール本体
２  帯
【図１】
2012224070.tif 000003
【図２】
2012224070.tif 000004
【図３】
2012224070.tif 000005
(57)【要約】【課題】本発明は、若干の粘土質のある不可逆な材質、例えば粘土、樹脂などを板状に薄く加工し、板状表面に写真や画像をプリントした板状写真を製作し、この写真の輪郭を物理的に凹ませる事で３Dエンボス写真を作る事が出来る。【解決手段】板状の樹脂にプリントされた写真は、不可逆性の樹脂や粘土質の薄い板であり、その上に写真がプリントされている為、その輪郭は目視でも、画像処理的にも確認できる。この輪郭に上部から輪郭にそって凹みを付ける事は、手動でもXYプロッターにつけた先端ビット部でも、板面に先端部を押さえる事で可能になる。材質が不可逆性を持つ為、輪郭に凹みを付けることが出来る。手動の場合も同様に表面上部から押し当てる事により輪郭部分に凹みを生じさせる事が出来る。元々板状表面には写真や画像がプリントされている為に写真が存在し、輪郭部が凹んだものが完成する。これは３Dエンボス写真と言う新しい分野に位置づけできる。【選択図】図１
2012224061.tif 000002
【特許請求の範囲】
【請求項１】
薄い板状の樹脂や粘土などを使用し、その表面に写真をプリントし、その輪郭線上に先端ヘラ形状や先端ビットで加圧し凹みを付ける事で凝固後完成するエンボス写真加工
【請求項２】
不可逆性で加圧によって凹みの出来る板状素材の表面に写真を印刷し、その写真の輪郭線上に先端ビットで加圧加工を行うことで成るエンボス写真加工
【請求項３】
写真プリント位置と同じ位置にXYプロッター等のペンビットの部分に先端がヘラ状や尖ったビットを取り付けて、写真輪郭を抽出したデータ位置として加圧するエンボス加工
【請求項４】
加圧によって凹みが輪郭線上に存在し、その形状のまま不可逆と成るエンボス写真
【請求項５】
加圧によって、写真の画像は、そのまま現存し、輪郭部分のみが凹む手法で、立体表現される不可逆な性質を持つ素材で加工されたエンボス写真
【発明の詳細な説明】
【技術分野】
【０００１】
本発明は一般的に紙や印画紙で存在する写真を素材と加工手法を変えることで立体エンボス加工写真にする手法に関するものである。
【背景技術】
【０００２】
従来、写真は平面にプリントされる二次現表現に限定される。
【先行技術文献】
【特許文献】
【０００３】
【特許文献１】実用新案出願２００６−３９２４
【非特許文献】
【０００４】
【非特許文献１】実用新案出願２００６−３９２４
【発明の概要】
【発明が解決しようとする課題】
【０００５】
写真は平面プリントに限定される為リアルな表現や臨場感にかける。写真分野の二次現表現を三次元表現に変えることで写真分野の新しい表現手法を発明した物である。
【課題を解決するための手段】
【０００６】
平面の樹脂板や平面状の粘土、或いは不可逆性材質の板状材質の上部に印刷やプリント、シルク、転写などの手法で写真や画像を印刷し、この画像の輪郭線部に物理的圧力を加える事で凹みを与える事で完成する立体エンボス写真
【発明の効果】
【０００７】
従来写真は、印画紙やプリントなどによる平面物であったが、薄い板状樹脂上にある写真に
凹凸を持つ３Dエンボス写真が出来る事で写真の立体感感強調感が生まれ、写真でありながら
輪郭の凹凸が存在し、今までの写真には無い新しい写真が生まれる
【図面の簡単な説明】
【０００８】
【図１】図１で説明する。図の上部は斜め図であり下部はその側面を現す。３は、樹脂や粘土を薄い板状にした物で１はその表面に印刷した写真でありプリントやシルクなど表面に写真を存在させている。２は、その写真そのもので、図では人の上半身の写真を現している。４は、手動であれば先の細いヘラやマイナスドライバーなどと同様な形状のヘラを示し、自動の場合は、ヘラ状を先とするビットを示す。５、６、７は、このヘラの動作を示し、手動で動かす。また自動では、XYプロッターなどを示す。７はこのヘラを写真面に上から押す事で、任意の位置に加圧加工をする。３の樹脂や粘土が８の様に凹む事を現している。３の板に存在する１の写真は、手動では、その写真の画像形状に合わせて線や点で４を使用し加圧加工を行う。また自動の場合は、１の写真と位置関係を均等とするコンピューター上の画像を任意で輪郭抽出を行い、この抽出データで、均等の１の写真上の輪郭を５，６でXYの位置を決め、７をZ軸として、任意の強さでZ軸で押さえる事で輪郭部分の加圧加工を行う。手動、自動どちらでも３に付随する１の写真は輪郭部分が３に凹みとして存在する。輪郭以外は、１の写真は３の板上にそのまま残る為、写真は輪郭部分の凹みを持つ物となる。加工後１の写真プリント部分と３の樹脂や粘土の板は乾燥や薬品、熱処理などで凝固させる。結果として板状樹脂や粘土がその上の写真１の輪郭線加圧形状記憶した状態となり、エンボス写真として完成する。
【発明を実施するための形態】
【０００９】
均等な厚さの樹脂や粘土など不可逆性の板を作成する。この板の厚さは、任意であるが１ｍｍから６ｍｍ程度の薄いものとする。
この板の作成は、ローラーなど一定の厚さを設定できる一般の自動技術や手動ローラーなどで作成が可能である。
次に、この表面に非接触のインクジェットやフィルム転写、シルク印刷などでプリントを行うことで、柔らかさのある粘土質の表面にプリントを行うことは、可能である。この様な手法で作成された粘土質の薄い板状の写真や画像は、粘土質表面にプリントされる、この写真はXYとして位置座標が決まった画像であり、この位置座標が得られるパソコンなどで、この画像の輪郭線位置を得る事は容易である。プリントと同様にこの写真プリントされた位置にXYプロッターで輪郭腺画座標で先端に鋭利な小手先を使用して凹みを与えることは、可能である。この輪郭線の凹みを与えた薄い粘土質板状写真は、輪郭に凹みを持ち３Dエンボス写真となる。勿論この輪郭を手動で凹みとして、同板状の写真に与えられることも同様に可能である。手動、自動を問わずこの一連の手法を加えた後、この樹脂や粘土、或いは不可逆性のある材質を、乾燥、熱処理、化学処理などで不可逆性を維持させる事で、写真は３Dエンボス立体写真として完成が可能となる。本発明は、以上述べた実施例に限定されるものではない。
【実施例】
【００１０】
ローラーや平面板などを使用し樹脂や粘土を薄い板状にして、その上にXY動作のプリンターやシルク等の手法を使用して写真を印刷し次に画像データをそのまま利用して、画像処理ソフトで画像データの輪郭を抽出し、板状にプリントされた同じ位置に先端ヘラ形状や先端ビットで押さえる事で、エンボスのついた写真が完成する。加工済みの薄板をそのまま凝固させることでエンボス写真が生成される。
【産業上の利用可能性】
【００１１】
薄い樹脂や粘土の板に加工するので、そのままエンボス付きの写真として使える他、このエンボス写真をケースや家具など多くの一般商品に貼り付けることにより、多くの商品に新しい立体デザインとして存在する事が可能である。
【符号の説明】
【００１２】
１、  樹脂・粘土等の上にプリントをした写真
２、  写真内容  例人物
３、  樹脂・粘土等薄い板
４、  ヘラ・XYプロッター等につけるビットやヘラ形状
５、  X軸の移動を示す
６、  Y軸の移動を示す
７、  Z軸の移動を示す
８、  凹み部分
【図１】
2012224061.tif 000003
(57)【要約】      （修正有）【課題】新規脂質吸収抑制物質の提供。【解決手段】脂肪を鋳型分子とする分子認識高分子。該分子認識高分子は、脂質を分子認識および捕捉機能をもつ高分子を主成分とする水溶性物質であり、分子認識（インプリント）法によって製造される。該新規高分子は、痩身、肥満治療、コレステロール値低下、糖尿病予防、糖尿病治療、あるいは、基礎代謝能力を向上させる。【選択図】なし【特許請求の範囲】
【請求項１】
中性脂肪を鋳型分子とする分子認識高分子を有効成分として含有することを特徴とする、脂質吸収抑制剤。
【発明の詳細な説明】
【技術分野】
【０００１】
本発明は、生体内で脂質の消化吸収に必須のリパーゼの作用を有効に阻害して、肥満、高脂血症等の抑制や予防をする物質に関する。        
【背景技術】
【０００２】
近年、肥満人口の増加が社会的問題となっている。肥満は、心臓病、糖尿病、癌などの生活習慣病の発病に関わっていることが知られており、多くの先進国において医療費の増大を引き起こす国家的な問題にもなっている。
【０００３】
肥満の原因物質の一つに脂肪がある。脂肪の体内吸収を抑制することが、肥満対策の一つとして考えられている。
【０００４】
生体内に摂取された脂肪は、十二指腸で胆汁に含まれる胆汁酸やリン脂質と混合されて小さな油滴になる。この油滴は膵臓から分泌されるリパーゼによって分解され、その後腸（空腸）から吸収されて血中に蓄積される。
【０００５】
脂質の吸収を抑制するため、リパーゼの酵素活性阻害能を有する阻害剤を用い、肥満防止、あるいは高脂血症状を抑制することが可能であると考えられている。 
【０００６】
この様な観点から、種々の天然物由来のリパーゼ阻害活性を有する成分、すなわち脂質吸収抑制活性を有する天然成分の探索が精力的に行われてきた。ホスファチジルコリン（非特許文献１）、大豆蛋白（非特許文献２、３）、タンニン（非特許文献４）、シャクヤク、オウレン、オウバク、ボタンピ、ゲンノショウコ、チャ、クジンなどの生薬の溶媒抽出エキス、ピーマン、かぼちゃ、しめじ、まいたけ、ふじき、緑茶、紅茶及びウーロン茶の水抽出物（特許文献１）、ドッカツ、リョウキョウ、ビンロウシ、ヨウバイヒ、ケツメイシの抽出物（特許文献３）などがリパーゼ阻害活性を有するものとして報告されている。
【０００７】
また、従来、分子インプリントポリマーを製造する技術として、（１）鋳型分子の存在下に、必要に応じて機能性モノマーおよび架橋モノマーを使用してポリマーを合成し、得られたポリマーから鋳型分子を除去して分子インプリントポリマーを得る方法（架橋重合法）、及び（２）溶解又は溶融したポリマーに鋳型分子を溶解させてポリマーの官能基と共有又は非共有結合させて固定化した後、鋳型分子を除去する方法（相転換法）が知られている。（例えば、特許文献２、３及び非特許文献５，６参照）
【先行技術文献】
【特許文献】
【０００８】
【特許文献１】特開平３−２１９８７２号公報
【特許文献２】特表２００３−５２３４６５号公報
【特許文献３】特開２００３−４０８０７号公報
【非特許文献】
【０００９】
【非特許文献１】Ｂｕｌｌ．  Ｆａｃｕｌ．  Ａｇｒｉｃ．  Ｍｅｉｊｉ  Ｕｎｉｖ．，７３，９−２６（１９８６）
【非特許文献２】Ａｇｒｉｃ．  Ｂｉｏｌ．  Ｃｈｅｍ．  ３８,  ９７−１０１（１９７４）
【非特許文献３】Ａｇｒｉｃ．  Ｂｉｏｌ．  Ｃｈｅｍ．  ４０,  ８８９−８９７（１９７６）
【非特許文献４】日食工，４１，  ５６１−５６４（１９９４）
【非特許文献５】化学，５７巻，６４−６５（２００２）
【非特許文献６】Ｊ．  Ａｍ．  Ｃｈｅｍ．  Ｓｏｃ．，  １３１（４１），  １４６９９−７０２（２００９）
【発明の概要】
【課題を解決しようとする課題】
【００１０】
前記天然成分物質に関しては、物性や効果の面で需要性に乏しい。さらに、このような探索においては、工業的生産に適した物質が期待されているが、これまで、十分な条件を満たす物質は未だ見出されていない。
【課題を解決するための手段】
【００１１】
本発明者らは、上記課題を解決するため、脂肪を分子認識する高分子を使用することとした。
【００１２】
本発明の脂質吸収阻害物質は、脂質を分子認識および捕捉機能をもつ高分子を主成分とする水溶性物質であり、分子認識（インプリント）法によって製造される。分子インプリント法は、認識、捕捉等の対象となる特定物質を鋳型分子とし、この鋳型分子と相補的な空隙や表面構造（選択認識性のある分子認識サイト）を高分子中に形成する技術である。ここで主体をなす高分子は、脂肪に対して親和性を有する物質であり、脂肪に結合してその代謝酵素であるリパーゼによる分解反応を阻害することによって、脂質の腸管吸収を拮抗的に抑制するという作用機序を発現する。該分子認識高分子は、脂肪に特異的に結合する能力が付与され、しかもそれ自身が高分子であることから、腸管から容易に吸収されない特徴を有している。
【発明の効果】
【００１３】
本発明の脂質吸収抑制物質は、脂質の腸管からの吸収量を著しく減少させ、痩身、肥満治療、コレステロール値低下、糖尿病予防、糖尿病治療、基礎代謝能力向上のいずれか一つ以上に、効果的である。
【発明を実施するための形態】
【００１４】
鋳型分子の存在下に、必要に応じて機能性モノマーおよび架橋モノマーを使用してポリマーを合成し、得られたポリマーから鋳型分子を除去して分子インプリントポリマーを得る。
(57)【要約】【課題】化石燃料、電気エネルギー、酸・塩基を使用せず、また、合金や微粉末に加工することなしにアルミニウムと水だけの水素ガス製造装置を提供する。【解決手段】アルミニウムの表面の酸化被膜が水との反応を阻害しているので、この酸化被膜を侵す方法を開発して水と反応させたところ水素が発生した。この水素ガス製造装置は工業化、大規模化が可能なうえ危険な反応廃棄物も生成せず、回収して原料の再利用ができる利点をもつ。【選択図】図１
2012224529.tif 000002
【特許請求の範囲】
【請求項１】
表面にしわを作って固めたアルミ箔を食塩水に浸漬することによって、酸化被膜の侵されたアルミニウムと食塩水を反応させるための水素ガス発生容器と、発生した水素ガスをフロートタンクに貯蔵する水素ガス貯蔵タンクを、フレキシブルパイプで接続することを特徴とした水素ガス製造装置を提供するものである。
【発明の詳細な説明】
【技術分野】
【０００１】  本発明は、アルミニウムと食塩水だけで水素ガスを製造する装置であり、また、水素ガスの制御と安全な貯蔵方法を提供するものである。
【背景技術】
【０００２】  水素は水の電気分解によって生成するが、大掛かりな電解装置と高コストの電気エネルギーが必要である。【０００３】  工業的には水素は天然ガスから作られるが、液化して輸送するのにも多くの課題が残されている。また、化石燃料・原子力に代わるエネルギーとして水素は注目されている。【０００４】  アルミニウムや鉄で水素を発生させた報告もあるが、工業的な大規模の製造方法は確立されていない。
【先行技術文献】
【特許文献】
【０００５】
【特許文献１】  特開２００６−４５０３３
【非特許文献】
【０００６】
【非特許文献１】  杉岡正敏他  室蘭工業大学紀要５６号
【発明の概要】
【発明が解決しようとする課題】
【０００７】  鉄を用いた水素ガスの製造では大量の腐食生成物ができ、排水処理などから大規模の水素製造が困難と思われる。また、水とアルミニウムから水素を発生させるメカノケミカル反応では、減圧したフラスコ内でスターラーによる攪拌でアルミニウムの表面の酸化被膜を壊す方法がとられているが、これも水素の大規模な製造方法には至っていない。本発明は工業化が可能な水素製造装置となる。
【課題を解決するための手段】
【０００８】  アルミニウムを薄い箔にしてしわを作って丸めることで、表面に凹凸ができる。これを電解質の食塩水に浸漬することによって酸化被膜が侵されて、水と反応する活性化したアルミニウムとなり水素が発生する。また、何重にも重ねた該アルミホイルをプレス機で固めれば、大規模の水素ガス製造装置が可能になる。
【発明の効果】
【０００９】  本発明は、水素ガスを液化して輸送するのでなく、使用する場所で必要な量だけ製造可能な上、安価な原料と簡単な設備、安全な水素ガス発生制御を有する水素ガス製造装置である。
【図面の簡単な説明】
【００１０】
【図１】  水素ガス製造装置
【発明を実施するための形態】
【００１１】  図１で、１水素ガス発生容器に食塩水とアルミホイルを入れて、管Ａと管Ｂをフレキシブルパイプで繋ぐ。次に、三方コック（１）（または三方電磁弁）と三方コック（２）を開閉して発生気体を２水素ガス貯蔵タンクに誘導する。
【実施例１】
【００１２】  １３．３ｃｍ×８．３ｃｍのアルミホイルを丸めて８０個、２７ｇを３．５％食塩水３２０ｍＬに入れたところ２０日間で１２．２Ｌの水素が得られた。【００１３】  夏場は加温せずに反応するが、水温が１５℃以下になると極端に反応速度が遅くなるので、冬場は反応容器を黒いビニールで覆って、太陽光で３０℃以上に保った。【００１４】  該アルミホイル、２５ｃｍ×８ｍ、厚さ１１μｍ、５５．１９ｇの芯をとり、つぶして３．５％食塩水３２０ｍＬに入れて加熱した。７０℃で水素ガスが１００ｍＬ／ｍｉｎ発生した。【００１５】
【化１】
2012224529.tif 000003
【００１６】  反応を停止するときは、三方コック（１）（三方電磁弁）の三方を閉じることによって、発生気体の内部圧力で反応溶液が３反応液溜めに誘導されて、反応が制御できる。反応を全て終了させるときは、４吸気口を開放して５廃液口より反応副生成物の水酸化アルミニウムとともに廃液を回収する。【００１７】  アルミニウム化合物は、融解塩電解によって再びアルミ箔として再利用する。
【産業上の利用可能性】
【００１８】  燃料電池、宇宙ロケット、水素自動車、大型タンカーの燃料等、石油・原子力に代わるエネルギーとして利用できる。
【符号の説明】
【００１９】  １水素ガス発生容器
２水素ガス貯蔵タンク
３反応液溜めへ
４吸気口
５廃液口
【図１】
2012224529.tif 000004
(57)【要約】      （修正有）【課題】新規糖質吸収抑制物質の提供。【解決手段】新規高分子が、痩身、肥満治療、コレステロール値低下、糖尿病予防、糖尿病治療、あるいは、基礎代謝能力を向上させる、糖質を鋳型分子とする分子認識高分子である新規糖質吸収抑制物質。【選択図】なし【特許請求の範囲】
【請求項１】
糖質を分子認識かつ捕捉する高分子を主成分とする糖質吸収抑制物質。
【発明の詳細な説明】
【技術分野】
【０００１】
本発明は、肥満の予防や治療に、あるいは糖尿病の治療薬として用いられる糖質の腸管吸収抑制物質に関する。
【背景技術】
【０００２】
近年、食生活が豊かになり、糖質の摂取過多による肥満等を原因とする糖尿病、動脈硬化症、心臓病及び高血圧症等の成人病が増加している。肥満防止は、健康上あるいは社会問題上、近代社会の重要課題である。
【０００３】
肥満は摂食と代謝の問題であり、その防止法には、摂食量の低減や運動によるカロリーコントロール、時には、一時的飢餓療法等が提案されている。しかし、これらには、栄養学的問題を含むこともあり、また、運動によるカロリーコントロールも、誰もが実行し得るものでない。
【０００４】
一方、簡便法として、食物中８０％近くを占める炭水化物（澱粉など）に対する消化酵素の阻害物質を利用する方法が考えられている。消化酵素には、唾液及び膵液中に含まれるα−アミラーゼ、また、小腸粘膜微絨毛膜に局在するスクラーゼ、マルターゼ、イソマルターゼ、ラクターゼなどがある。近年、これら炭水化物の消化に関与する酵素阻害物質が、幾数種か、見出されている。
【０００５】
糖質の腸管での吸収は、主に、小腸粘膜細胞に局在する能動輸送系によって行われていることが明らかになっている。糖は、吸収上皮細胞刷子縁膜に、Ｎａ+ との結合状態で吸着し、Ｎａ+ の濃度差による電位差を生じさせる。Ｎａ+ と糖は、その電位差によって、同時に膜を通過し、細胞内に取り込まれる（林幸三，川崎尚：代謝１９：６６１，１９８２，川崎尚：病態生理２：１２，１９８３）。フロリジン等が、この過程を阻害する糖質吸収低下薬物として考えられてきた。しかし、これら阻害物質は、微生物または植物から得られたオリゴ糖系及びペプチド系のもので、安全性、有効性の点で問題点を有しており、そのほとんどが実用化に至っていない。また、人工甘味料も繁用されているが、これは砂糖の添加量を抑制するだけで、炭水化物の分解物である糖質吸収には影響がなく、肥満に対して特に大きな効果は期待できない。
【０００６】
また、従来、インド原産のギムネマ属ガガイモ科の植物が、糖質吸収抑制剤として研究されてきた。なかでも、ギムネマシルベスタは、インドにおいて、古くから糖尿病の民間伝承薬として知られてきた。ギムネマシルベスタの温水抽出物やアルコール抽出物は、腸管における炭水化物の吸収を抑制する作用があることから、お茶、あるいは、食品添加物して用いることが提案されている（特開昭６３−１０５６６１号公報、特開昭６１−５０２３号公報）。
【０００７】
ギムネマシルベスタは、含まれているギムネマ酸が糖吸収抑制に効果的と考えられてきたが、その作用機序は明らかではない（吉岡伸一：米子医学雑誌３７：１４２，１９８６）。
【０００８】
ギムネマシルベスタは、通常、経口的に投与される。その時ギムネマ酸は舌上の味覚受容体と結合して味覚の知覚抑制として働き、その効果は約１時間持続する。従って、ギムネマシルベスタ投与後は、食事等の味気を感じなくなってしまう等の問題がある。一方、ギムネマ酸は、ギムネマシルベスタから抽出されるため比較的高価であり、また、天然由来であるため安定供給も難しい。
【０００９】
また、従来、分子インプリントポリマーを製造する技術として、（１）鋳型分子の存在下に、必要に応じて機能性モノマーおよび架橋性モノマーを重合し、得られたポリマーから鋳型分子を除去して分子インプリントポリマーを得る方法（架橋重合法）、及び（２）鋳型分子を溶解又は溶融したポリマーに溶解させて、鋳型分子をポリマーの官能基と共有又は非共有結合させて固定化した後、鋳型分子を除去する方法（相転換法）が知られている。（例えば、特許文献１、２及び非特許文献１参照）
【先行技術文献】
【特許文献】
【００１０】
【特許文献１】特表２００３−５２３４６５号公報
【特許文献２】特開２００３−４０８０７号公報
【非特許文献】
【００１１】
【非特許文献１】化学，Ｖｏｌ，５７，Ｎｏ．３（２００２），６４−６５
【発明の概要】
【発明が解決しようとする課題】
【００１２】
本発明は、上述の肥満予防上の問題点を考慮して立案されるものであり、節食や特殊療法に依存することなく、かつ、味覚障害などの障害を引き起こすことなく、糖質の吸収を効果的に阻害する新規糖質吸収抑制物質提供を提案することを、その目的とする。
【課題を解決するための手段】
【００１３】
食物として摂取された炭水化物は小腸から消化吸収される。従って、小腸からの吸収の場を阻害することにより糖質の吸収量を低下させることが可能になる。
【００１４】
本発明の糖質吸収阻害物質は、糖質を分子認識および捕捉機能をもつ高分子を主成分とする物質であり、分子認識（インプリント）法によって製造される。分子インプリント法は、認識、捕捉等の対象となる特定物質を鋳型分子とし、この鋳型分子と相補的な空隙や表面構造（選択認識性のある分子認識サイト）を高分子中に形成する技術である。ここで主体をなす高分子は、糖質に対して親和性を有する物質であり、糖質に結合してその代謝酵素であるα−アミラーゼ、スクラーゼ、マルターゼ、イソマルターゼ、あるいはラクターゼなどの消化酵素による分解反応をまぬがれ、糖質の腸管吸収を拮抗的に抑制するという作用機序を発現する。該分子認識高分子は、糖質を特異的に結合する能力を持ち、しかもそれ自身が高分子であることから、腸管から容易に吸収されない特徴を有する。
【００１５】
本発明で対象とする糖質は、単糖類としてグルコース、ガラクトース、二糖類としてはスクロース、マルトース、ラクトースである。
【００１６】
本発明の糖質吸収抑制物質は、小腸内で自由に拡散し、糖質の担体と結合し得るため、水溶性であることが望ましい。
【００１７】
【非特許文献２】Ｊ  Ａｍ  Ｃｈｅｍ  Ｓｏｃ．  １３１（４１）：１４６９９−７０２（２００９）
【００１８】
上記のようにして得られた糖質吸収抑制物質は肥満治療や糖尿病治療のための医薬品として使用される他、機能性食品（肥満予防）として食品に添加することもできる。
【００１９】
本発明の糖質吸収抑制物質は、糖質の能動輸送を行う担体に対しても、親和性を有する可能性があり、この担体に結合して、拮抗的に糖質の腸管からの吸収を抑制する作用を果たすことが期待される。
【発明の効果】
【００２０】
よって、本発明の糖質吸収抑制剤は、糖質の腸管からの吸収量を著しく減少させ、さらに、苦痛を与えることなく肥満予防や治療を可能にする。
【発明を実施するための形態】
【００２１】
鋳型分子の存在下に、必要に応じて機能性モノマーおよび架橋性モノマーを重合し、得られたポリマーから鋳型分子を除去して分子インプリントポリマーを得る。
(57)【要約】      （修正有）【課題】肥満、高脂血症、動脈硬化症、脂肪蓄積症などの治療に用いる新規胆汁酸腸管吸収抑制物質の提供。【解決手段】胆汁酸の腸管からの再吸収量を顕著に減少させ、肝臓でのコレステロールから胆汁酸への異化作用を促進し、血中コレステロール量を効率的に低下させる分子インプリントポリマーである分子認識高分子。【選択図】なし【特許請求の範囲】
【請求項１】
胆汁酸を、高効率、特異的に吸着する分子認識高分子からなる胆汁酸腸管吸収抑物質。
【発明の詳細な説明】
【技術分野】
【０００１】
本発明は、特に胆汁酸の腸管における能動輸送系を介した吸収を抑制することにより、肥満、高脂血症、動脈硬化症、脂肪蓄積症などの治療に用いられる、分子認識および捕捉能を持つ胆汁酸腸管吸収抑制物質に関する。
【背景技術】
【０００２】
近年、脂肪の過剰摂取に伴う肥満、あるいは、血中コレステロール値の増大を原因とする、高脂血症、動脈硬化症、あるいは、脂肪蓄積症患者が増加しつつある。体内コレステロールの８０〜９０％は、肝臓で胆汁酸に異化された後、腸管内に排泄される。排泄された胆汁酸の９５％以上は腸管から再吸収されて、腸肝循環を行いながら小腸内脂肪の消化吸収に効率的に利用される。また、残りの５％以下は、糞便として排泄される（牧野勲他：代謝，２４(８) ，６８５(１９８７) ）。したがって、血中コレステロール値を低下させるためには、コレステロールから胆汁酸への異化作用を促進させることが有効と考えられる。
【０００３】
この考え方に基づき、種々の胆汁酸吸着剤を経口投与する薬物療法が、高脂血症等の治療に用いられている（特公平１−１８８８４、特開平２−２１２５０５、特開平３−３５００５）。例えば、クエストラン（ブリストルマイヤーズ社製、米国特許第３４９９９６０号、米国特許第３７８０１７１号）は、水不溶性の陰イオン交換樹脂で、腸内に分泌された胆汁酸を樹脂に吸着させて糞便中に排泄させる。その結果、肝臓でのコレステロールから胆汁酸への異化作用が促進されて、血中コレステロール値が低下するという。
【０００４】
また、従来、分子インプリントポリマーを製造する技術としては、（１）鋳型分子の存在下に、必要に応じて架橋剤を使用して、個々のモノマーを重合し、得られたポリマーから鋳型分子を除去して分子インプリントポリマーを得る方法（架橋重合法）、及び（２）溶解又は溶融したポリマーに鋳型分子を溶解させて、ポリマーの官能基と共有又は非共有結合させて固化した後、鋳型分子を除去する方法（相転換法）が知られている。（例えば、特許文献１、２及び非特許文献１参照）
【先行技術文献】
【特許文献】
【０００５】
【特許文献１】特表２００３−５２３４６５号公報
【特許文献２】特開２００３−４０８０７号公報
【非特許文献】
【０００６】
【非特許文献１】化学，Ｖｏｌ，５７，Ｎｏ．３（２００２），６４−６５
【非特許文献２】Ｊ  Ａｍ  Ｃｈｅｍ  Ｓｏｃ．１３１（４１）：１４６９９−７０２（２００９）
【発明の概要】
【発明が解決しようとする課題】
【０００７】
しかし、クエストランの使用に見られるように、従来の胆汁酸吸着剤による治療においては、その有効投与量が９ｇ／日・３回と非常に多量であるという難点を有している。
【０００８】
また、クエストランは、胆汁酸に特異な親和性を有していないため、胆汁酸以外の酸性タンパク質、アミノ酸、有機酸なども吸着除去してしまう恐れがある。
【０００９】
従って、本発明は、少量で高効率を有する胆汁酸の分子認識および捕捉機能を有する分子認識高分子を含有する高分子組成物、及び該組成物の製造方法に関する。
【課題を解決するための手段】
【００１０】
胆汁酸の腸管での再吸収は、主に、回腸に局在する能動輸送系により主に行われている。すなわち、その再吸収には、胆汁酸に対して特異的親和性を有するキャリアーが関与している。このキャリアーは、胆汁酸のステロイド骨格を認識する部位、アニオン基を認識する部位、カチオン基を認識する部位の３つの部位を有することが報告されている。また、このキャリアーに対する親和性の程度は、トリヒドロキシ胆汁酸＞ジヒドロキシ胆汁酸＞モノヒドロキシ胆汁酸の順であり、抱合型の方が遊離型よりも親和性が高いと言われている（牧野勲他：代謝，２４(８) ，６８５(１９８７) ）。したがって、このキャリアーに親和性を有する物質は、拮抗的に内因性の胆汁酸の腸管吸収を抑制する可能性がある。本発明は、この考えに基づいて立案されたものである。
【００１１】
すなわち、本発明は、胆汁酸を高選択的に分子認識、および、捕捉する能力を持つ高分子からなる胆汁酸腸管吸収抑制物質に関する。本発明においては、分子認識（インプリント）法による胆汁酸吸収抑制物質の製造を行う。分子インプリント法は、認識、捕捉等の対象となる特定物質を鋳型分子とし、この鋳型分子と相補的な空隙や表面構造（選択認識性のある分子認識サイト）を高分子中に形成する技術である。ここで主体をなす高分子は、胆汁酸の能動輸送を行うキャリアーに対して親和性を有する物質であり、このキャリアーに結合して内因性の胆汁酸の腸管吸収を拮抗的に抑制するという作用機序を発現する。該分子認識高分子は、回腸に局在する胆汁酸のキャリアーに特異的に結合する能力が付与され、しかもそれ自身が高分子であることから、腸管から容易に吸収されない特徴を有している。
【発明の効果】
【００１２】
本発明による胆汁酸吸収抑制物質は、胆汁酸の再吸収を特異的に阻害し、また、有用物質の腸管吸収を妨げることなく、より安全で効率的に胆汁酸の再吸収を抑制し得る。
【発明を実施するための形態】
【００１３】
鋳型分子の存在下に、必要に応じて架橋剤を使用して、個々のモノマーを重合し、得られたポリマーから鋳型分子を除去して分子インプリントポリマーを得る。
(57)【要約】【課題】中空シャフト２とカムロブ３の結合による組立カムシャフト１において、面取２３によるカムシャフト１の強度低下防止と、面取２３の肩２３１にカムロブ３の側面が接触しカムロブ３のスムースな挿入が阻害されることを防止できる組立カムシャフトを実現する。【解決手段】中空シャフト２のカムロブ３を挿入する側の軸端の同一位置に面取２３とテーパ面２２を備え、テーパ面２２の最大径２２１の位置より面取２３を軸端寄りに配置する。【選択図】図１
2012082738.tif 000002
【特許請求の範囲】
【請求項１】
中空シャフトとカムロブを結合して成る組立カムシャフトにおいて、前記中空シャフトの回転力を伝動しない部位に、少なくとも１つの前記中空シャフト軸心に平行な多角面取を備える組立カムシャフト。
【請求項２】
前記中空シャフトの少なくとも一方の軸端に、軸端に向かって縮径するテーパ面を備え、前記テーパ面に前記多角面取を形成し、前記テーパ面の最大径の位置より前記多角面取が軸端寄りに配置される請求項１に記載の組立カムシャフト。
【発明の詳細な説明】
【技術分野】
【０００１】
本発明は、内燃機関のバルブを開閉させるための偏心カムを備えた組立カムシャフトに関するものである。
【背景技術】
【０００２】
内燃機関に使用されるカムシャフトは組付け時にバルブ開閉のタイミングをピストン工程と同期させるために所定の位相で組付ける必要がある。このため、位相決めを容易にするためにカムシャフトの一部に位相基準とスパナ係合面を兼ねた面取を設けることがある。図４、図５に示すように、カムシャフト５０は平行な２面５１で構成される面取を備えており、組付け時にカムシャフト５０を容易に回転できるようになっている。
一方、カムシャフトの軽量化のため中空のシャフトとカムロブとを圧入などで結合することによって一体化した組立カムシャフトとする従来技術（特許文献１参照）がある。
【先行技術文献】
【特許文献】
【０００３】
【特許文献１】特開２００６−１６９９６０号公報
【発明の概要】
【発明が解決しようとする課題】
【０００４】
従来の位相基準用の面取はカムシャフトの中央部に設けられている、中空シャフトとカムロブの結合による組合せカムシャフトを同様の構造とすると、面取部が薄肉となりカムシャフトの強度が低下する。さらに、カムロブを中空シャフトに挿入するときカムロブが面取の肩部に引っかかりスムースな挿入ができない恐れがあった。
本発明は上記事情に鑑みてなされたものであり、面取による強度低下防止とカムロブのスムースな挿入が可能な組立カムシャフトを実現することを目的とする。
【課題を解決するための手段】
【０００５】
上記の課題を解決するため、請求項１に係る発明の特徴は、中空シャフトとカムロブを結合して成る組立カムシャフトにおいて、前記中空シャフトの回転力を伝動しない部位に、少なくとも１つの前記中空シャフト軸心に平行な多角面取を備えることである。
【０００６】
請求項２に係る発明の特徴は、請求項１に係る発明において、前記中空シャフトの少なくとも一方の軸端に、軸端に向かって縮径するテーパ面を備え、前記テーパ面に前記多角面取を形成し、前記テーパ面の最大径の位置より前記多角面取が軸端寄りに配置されることである。
【発明の効果】
【０００７】
請求項1に係る発明によれば、多角面取の部位で中空シャフトが薄肉となることによる、組立カムシャフトの回転力入力部とカムロブ間のねじり剛性低下を防止できる。これは、カム駆動部とカムロブ間を除く組立カムシャフトの回転力を伝動しない部位に多角面取を配置しているためである。
さらに、中空シャフトのカムロブ挿入部が切欠きの無い連続した円筒形状となるため、断続研削による振動発生が無い研削加工が可能になり生産性が向上する。
【０００８】
請求項２に係る発明によれば、多角面取の肩の最大径が中空シャフトのカムロブ挿入部外径より小さくなるため、カムロブ内径と多角面取の肩の最大径との隙間を大きくできる。このため、カムロブの中空シャフトへの挿入時に、中空シャフトとカムロブの相対位置決め精度が低くても多角面取の肩にカムロブ側面が接触することなくスムースな挿入ができ生産性がよくなる。
【図面の簡単な説明】
【０００９】
【図１】本実施形態の組立カムシャフトを示す概略図である。
【図２】図１のＡ−Ａ断面図である。
【図３】図１のＢ矢視図である。
【図４】従来のカムシャフトを示す概略図である。
【図５】図４のＣ−Ｃ断面図である。
【発明を実施するための形態】
【００１０】
以下、本発明の実施の形態を図１〜図３に基づき説明する。
図１、図２に示すように、組立カムシャフト１は中空シャフト２の円筒外周部２１に複数のカムロブ３を所定の位相で焼ばめして結合する。中空シャフト２の端部にテーパ面２２を備え、テーパ面２２に４面の面取２３を設ける。図３に示すように、面取２３の対向する２面は平行でその間隔はスパナに係合して回転できる寸法となっている。面取２３はテーパ面２２の最大径であるテーパ最大径２２１から所定の距離だけ軸端側に配置されているため、面取２３の肩部２３１の最大の径である肩部最大径２３２はテーパ面２２の最大径部２２１より所定の径だけ小さい。
【００１１】
中空シャフト２の製造時には、テーパ面２２と面取２３が同一位置に配置されているので、ワンチャックでテーパ面２２と面取２３を連続して加工でき、中空シャフト２の加工時間を短縮できる。
【００１２】
組立カムシャフト１の組立工程を説明する。
中空シャフト２の円筒外周部２１とカムロブ３を焼ばめ結合するため、同一温度ではカムロブ３の穴径が円筒外周部２１の外径より締め代分だけ小さい。カムロブ３の中空シャフト２への挿入は以下のように行われる。カムロブ３をカムロブ３の内径が円筒外周部２１の外径より数十μｍ程度大きくなる所定の温度に昇温させる。カムロブ３を所定の位相と中空シャフト２の軸心と同軸に位置決めする。カムロブ３を中空シャフト２のテーパ面２２側から挿入する。この時テーパ面２２がカムロブ３の挿入時のガイドとなるのでスムースな挿入が可能となる。カムロブ挿入時に面取２３の肩部２３１にカムロブ３の側面が接触すると挿入できなくなるが、本発明では肩部２３１の最大径をカムロブ３の内径より所望の量小さくすることができるので、中空シャフト２とカムロブ３の相対位置決め精度が低くても接触することなくスムースに挿入できる。短時間で挿入できるのでカムロブ３の温度低下に伴う内径縮小による挿入不良が発生せず、生産性も高くなる。
【００１３】
内燃機関組立後の組立カムシャフト１の作動時には、組立カムシャフト１の駆動部とカムロブ３の間には部分的に強度低下する部位が存在しない。このため、中空シャフト２の肉厚を薄くしてカムシャフト１を軽量化できる。
【符号の説明】
【００１４】
１：組立カムシャフト  ２：中空シャフト  ３：カムロブ  ２１：円筒外周部  ２２：テーパ面  ２３：面取  ２２１：テーパ最大径  ２３２：肩部最大径
【図１】
2012082738.tif 000003
【図２】
2012082738.tif 000004
【図３】
2012082738.tif 000005
【図４】
2012082738.tif 000006
【図５】
2012082738.tif 000007
(57)【要約】      （修正有）【課題】ロールなど継ぎ目無し筒状の電気鋳造品を製作する場合、溶剤にて母型を溶解して電気鋳造品を取り出し、あるいは、母型を削り落して電気鋳造品を取り出すことなく、母型と電気鋳造品との離型作業を容易に行え、母型を再使用できる方法を提供する。【解決手段】母材を密閉容器にし、内部に液体を注入後、加圧ポンプで圧力を加えて容器を膨張させ、この膨張した状態の母材を旋盤等で必要な形状や寸法に仕上げて母型７を製作する。電気鋳造後の母型と電気鋳造品８の離型作業は、内部流体の圧力を開放し減圧することで母型と電気鋳造品との間に隙間が生じ、容易に離型出来る。【選択図】図６
2012082503.tif 000002
【特許請求の範囲】
【請求項１】
ロールなど継ぎ目無し筒状の電気鋳造品の離型工程を容易にするために任意に寸法、形状を変えられる母型。
【請求項２】
母材を加圧膨張状態で製作することにより、再加圧時の寸法、形状の復元性を持たせ、繰り返し再使用を可能にした母型。
【発明の詳細な説明】
【技術分野】
【０００１】  この発明は、ロール形状など継ぎ目無しの筒状の電気鋳造品を母型から容易に離型し、また再使用を可能とした母型に関するものである。
【背景技術】
【０００２】  母型と電気鋳造品の離型作業が困難なため、従来は溶剤にて母型を溶解して取り出す、あるいは、母型を削り落して電気鋳造品を取り出す、このような方法が一般的である。
【発明の概要】
【発明が解決しようとする課題】
【０００３】  したがって離型時に母型を破壊するため、母型１個につき電気鋳造品も１個しか製作できず、そのため母型の材料費、製作費、溶解し電鋳品を離型する費用など製作費用の高騰、及び、それぞれに要する工数と製作時間から製作日数の長期化の要因となっている。
そこで、この発明は母型と電気鋳造品との離型作業を容易に行えること、および母型を再使用できるようにすることを課題とする。
【課題を解決するための手段】
【０００４】  以上の課題を解決するために、母材を密閉容器にし、内部に液体を注入後、加圧ポンプで圧力を加えて容器を膨張させ、この膨張した状態の母材を旋盤等で必要な形状や寸法に仕上げて母型を製作する。電気鋳造後の母型と電気鋳造品の離型作業は、内部流体の圧力を開放し減圧することであらかじめ膨張していた分だけ収縮が起き、母型と電気鋳造品との間に隙間が生じ、容易に離型出来る。このように内部液体圧力の加減によって母型の寸法を任意に変化できることを特徴とする母型である。
【発明の効果】
【０００５】  母型と電気鋳造品の間に隙間が生じれば、離型工程が容易に行える。また、離型した後に母型に液体を注入し再度圧力を加えれば元の形状、寸法に復元する。したがって母型を破壊しないため繰り返しの再使用が可能となり、製作費用の削減と製作日数の短縮ができる。
【図面の簡単な説明】
【０００６】
【図１】本発明の一実施形態を示す断面図である。
【図２】母型を製作するための母材などの構成を示す断面図である。
【図３】母材の膨張を示す断面図である。
【図４】母材を削り母型となった状態の断面図である。
【図５】母型に電気鋳造が完了した状態の断面図である。
【図６】母型と電気鋳造品との間の隙間を示す断面図である。
【図７】再加圧時の母型の寸法、形状の復元を示す断面図である。
【符号の説明】
【０００７】１  母材    ２  加圧ポンプ    ３  エアー抜き弁    ４  圧力調節弁
５  圧力計    ６  旋盤    ７  母型    ８  電気鋳造品
【発明を実施するための形態】
【０００８】  この発明の実施形態を、図１から図７に基づいて説明する。
【０００９】  図２のような中空密閉構造の母材１に液体を充填する。さらに加圧ポンプにて加圧すれば、
図２のような中空密閉構造の母材１に液体を充填する。さらに加圧ポンプにて加圧すれば、母材１は膨張する。必要な寸法、形状となったところで圧力調節弁４を閉じる。図３は母材１が膨張し圧力調節弁４を閉じた状態を示す。
【００１０】  さらに図３のように母材１を膨張させたまま旋盤など工作機械にて必要な形状、寸法に加工した母型７を製作する。その後は図５のように母型７に電気鋳造を実施する。
【００１１】  さらに電気鋳造品８と母型７との離型工程時には、図６に示すように圧力調節用バルブ４を開放し母型７の内部の圧力を減圧すると、あらかじめ膨張していた分だけ収縮が起きるため電気鋳造品８と母型７との間に隙間が生じる。このため離型工程時に電気鋳造品を容易に引き抜くことができる。
【００１２】  図７のように、電気鋳造品８と母型７の離型工程が完了後、母型７を加圧ポンプで再加圧し膨張させることで元の形状、寸法に復元させることができる。
【００１３】  この母型７を再加圧による膨張、電気鋳造、内部圧力開放による収縮、離型の工程を繰り返し行うことで、母型の再使用が可能となる。
【図１】
2012082503.tif 000003
【図２】
2012082503.tif 000004
【図３】
2012082503.tif 000005
【図４】
2012082503.tif 000006
【図５】
2012082503.tif 000007
【図６】
2012082503.tif 000008
【図７】
2012082503.tif 000009
(57)【要約】【課題】長時間靴を履いた時、靴の中の足にむれが生じ、水虫の原因となり足に薬を塗った後、薬が床や他の物に付着する難点があった。本発明は、足を覆うための、ソックスカバーを提供する。【解決手段】足首、足の甲にゴムを入れ、足から脱げないようにし、甲部分の不織布を底面に折り返して靴の中敷にし、靴の中の足のむれを防ぎ、足に薬を塗った後、床や他の物に薬が付着する不快感をなくすため、抗菌消臭ケアシートで、足を覆うことを特徴とした。【選択図】図１
2012082560.tif 000002
【特許請求の範囲】
【請求項１】
不織布を使用して、足首、足の甲にゴムを入れた抗菌消臭ケアシートで、足を覆うように構成したことを特徴としたソックスカバー。
【発明の詳細な説明】
【技術分野】
【０００１】  本発明は、靴の中の足のむれを解決する、ソックスカバーに関するものである。
【背景技術】
【０００２】  従来、靴は素足か、靴下を履くものである。
【先行技術文献】
【０００３】
【発明の概要】
【発明が解決しようとする課題】
【０００４】  靴を長時間履いていると、靴の中は足のアセでむれ、水虫になりやすく、足に薬を塗った後、床や他の物に薬が付着する不快感があった。
本発明は、以上の問題点を解決するものである。
【課題を解決するための手段】
【０００５】  不織布を使用して履きやすく、足首、足の甲にゴムを入れ、足から脱げないようにし、甲部分の不織を底面に折り返して靴の中敷としても可能にし、靴の中の足のむれ、不快感をなくすため抗菌消臭ケアシートで、足を覆うことを特徴とした。
以上の構成よりなるソックスカバー。
【発明の効果】
【０００６】  本発明は、長時間靴を履いた時の、靴の中の足のむれを防ぎ、水虫防止になる。
薬を塗った後、床や他の物に薬が付着する不快感を、解消することができる。
【図面の簡単な説明】
【０００７】
【図１】本発明の横面からの図である。
【図２】本発明の底面からの図である。
【発明を実施するための形態】
【０００８】  以下、本発明の実施の形態を説明する。
（イ）紙オムツで使用している、抗菌消臭ケアシート（１）（５）（６）で、足を覆った。
（ロ）足首、足の甲にあたる部分（２）（４）に、不織布を使用した。
（ハ）足首、足の甲にゴム（３）を入れた。
（ニ）足の甲（４）の部分を、底面に折り返し、中敷にする。
本発明は、以上のような構成である。
本発明は、靴で使用する時は、素足で使用した方が良いが、中敷として使用する場合は、その他である。
不織布を使用して履きやすく、ゴムを入れることによって脱げにくくし、抗菌消臭ケアシートで足を覆うことによって、靴の中の足のむれを防止することができる。
【符号の説明】
【０００９】（１）（５）（６）抗菌消臭ケアシート
（２）（４）不織布
（３）ゴム
【図１】
2012082560.tif 000003
【図２】
2012082560.tif 000004
(57)【要約】【課題】従来考案の装置の大半は、キー本体に取付け、外出先で施錠を確認するものや、複数の人間で使用する場合は成立しないもの、鍵の形状やメーカーによっては取付不可能なもの、施錠した時点で警告するもの、鍵本体を製造するもの、配線のための穴あけ加工しなければならないもの等で、確実に鍵のかけ忘れを防止し、誰でも容易に取付可能且、低コストに製作でき安価に提供可能なものではない。【解決手段】施錠しなければ警告音が止まないため、考え事をしながら無意識に外出する際や、物忘れの多い方、高齢者でも必ず錠のかけ忘れを防止できる。また、施錠を検知する部分は絶縁板と接点金具のみの簡単な作りのため耐久性、且低コストに極めて優れたものでメーカーや鍵の形状を選ばない。また、容易に貼りつけるだけの装置である為、誰でも簡単に取付ける事ができる。【選択図】図１
2012082569.tif 000002
【特許請求の範囲】
【請求項１】
既存の鍵を加工することなく、簡単に取付られ、且、低コストで鍵のかけわすれを確実に防止し、ピッキング、サムターン回し犯罪防止にも効果的な装置を提供する
【発明の詳細な説明】
【技術分野】
【０００１】  本発明は、外出時の鍵のかけ忘れの確実な防止を図った施錠忘れ防止装置に関する。
【背景技術】
【０００２】  従来考案の施錠忘れを防止する装置は、キー本体に取付け、後で施錠を確認するもの、鍵の種類を限定するもの、施錠した時点で警告するもの、トロ箱の中に設置し、配線の加工が必要なもの、鍵本体を製造するものがある。
【発明の開示】
【発明が解決しようとする課題】
【０００３】  現代は窃盗団によるピッキング、サムターン回しによる犯罪が多発しているため、ピッキング防止の優れた鍵に進化を遂げているが、鍵のかけわすれによる侵入被害を防止することはできない。【０００４】  外出先で、鍵をかけたかどうか思い出せない精神的不安。【０００５】  サムターン回しやピッキングによる開錠の侵入犯罪を抑止するための安価な装置が少ない。【０００６】  従来考案の装置はコストがかかるものや、加工しなければ既存の鍵に取付できない。【０００７】  従来考案の外出先で確認できる装置は外出先で鍵をかけわすれた事に気付き自宅に戻らなければならない。
【課題を解決するための手段】
【０００８】  施錠してトロ箱にデッドボルトが挿入されなければ警告音が止まらないため、鍵のかけわすれを確実に防止できる。【０００９】  サムターン回しやピッキング犯罪の際も上記同様、開錠されたら警告音が鳴るため犯罪防止の抑止効果がある、また、室外ブザーの配線を切られたり破壊された後に開錠されても、室外ブザーと室内ブザーは並列配線になっているため室内ブザーが更に大きな音量で鳴る。【００１０】  本発明を機能させる部品は、電池、配線、接点金具、ブザー等であり、マイクロスイッチやソレノイド等は一切使用しないため著しくコストが低い。【００１１】  既存の扉枠と扉のクリアランスを利用し、扉枠に両面テープ等で接点を貼りつけ、外側ブザーを外壁に両面テープ等で貼りつけ、電池内蔵の内側ブザーを室内に両面テープ等で貼りつけ、配線を固定する。既存扉、扉枠は加工しない。【１０１２】  接点金具はデッドボルトの長さに関係なく働くため、製造メーカーを選ばない。現代の鍵にはほぼ対応できる。
【発明の効果】
【００１３】  上述したように本発明の施錠忘れ防止装置は、鍵のかけわすれを確実に防止し、外出先での精神的な不安を取り除き、鍵のかけわすれによる侵入被害を防ぐ装置を提供できる。【００１４】  また、サムターン回しやピッキングによる侵入犯罪の抑止という効果を発揮するものである。
【発明の実施するための最良の形態】
【００１５】  以下、本発明の実施の形態を図１〜図４に基づいて説明する。
【００１６】  図においては、施錠することにより、デッドボルトがトロ箱に挿入され、接点金具１と接点金具２が離れることで警告音が止まる。
【００１７】  配線図は、内側ブザーと外側ブザーが並列配線であることを示す。
【図面の簡単な説明】
【００１８】
【図１】本発明の実施形態を示すトロ箱及びデッドボルト部分の断面図
【図２】室内側、同施錠忘れ防止装置の取付図
【図３】室外側、同施錠忘れ防止装置の取付図
【図４】電気配線図
【符号の説明】
【００１９】１    デッドボルト
２    トロ箱
３    接点金具１
４    接点金具２
５    接点金具留めリベット
６    絶縁板（軟質）
７    配線
８    扉枠
９    扉
１０  外側ブザー
１１  電池内蔵内側ブザー
【図１】
2012082569.tif 000003
【図２】
2012082569.tif 000004
【図３】
2012082569.tif 000005
【図４】
2012082569.tif 000006